(57)【特許請求の範囲】
【請求項１】
通信の変復調を行うモデムと、
変復調されたアナログ信号を送信受信に適する信号レベルに調整するアナログ回路と、
手順省略を行うためのトーン信号を検出するトーン信号検出回路と、
手順省略を行うためのトーン信号を生成する起動信号生成回路と、
送信の際には当該通信に適するシンボルレートを決定し、かつ、受信の際には前記トーン信号検出回路で検出した信号種類に基づいて通信を行うべきシンボルレートを決定するシンボルレート決定回路と、
いかなるデータレートで通信を行うかを決定するデータレート決定回路と、
通信全体を制御する通信制御部と、
短縮ダイヤル及び／又はワンタッチダイヤル番号情報ならびに該番号情報に対応付けて初回のファクシミリ送信に際しての通信前手順中のシンボルレート及びデータレートを記憶するメモリと、
回線とのインターフェースである網制御部
とを具備するファクシミリ装置における通信方法であって、
短縮ダイヤル及び／又はワンタッチダイヤルに番号が登録された相手に対する初回のファクシミリ送信に際して、前記登録された番号と対応付けて通信前手順中のシンボルレート及びデータレートを前記メモリに記憶しておき、前記登録された番号に対する２回目以降の通信に際して前記メモリに記憶されているシンボルレート及びデータレートを読み出して通信前手順に充当することにより所要通信時間を短縮することを特徴とするファクシミリ通信方法。
【請求項２】
通信の変復調を行うモデムと、
変復調されたアナログ信号を送信受信に適する信号レベルに調整するアナログ回路と、
手順省略を行うためのトーン信号を検出するトーン信号検出回路と、
手順省略を行うためのトーン信号を生成する起動信号生成回路と、
送信の際には当該通信に適するシンボルレートを決定し、かつ、受信の際には前記トーン信号検出回路で検出した信号種類に基づいて通信を行うべきシンボルレートを決定するシンボルレート決定回路と、
いかなるデータレートで通信を行うかを決定するデータレート決定回路と、
通信全体を制御する通信制御部と、
短縮ダイヤル及び／又はワンタッチダイヤル番号情報ならびに該番号情報に対応付けて初回のファクシミリ送信に際しての通信前手順中のシンボルレート及びデータレートを記憶するメモリと、
回線とのインターフェースである網制御部
とを具備してなり、
２回目以降の通信に際して前記メモリに記憶されているシンボルレート及びデータレートを読み出して通信前手順に充当することにより所要通信時間を短縮することが出来るように構成されてなることを特徴とするファクシミリ装置。
【発明の詳細な説明】
【０００１】
【発明の属する技術分野】
本発明は、ファクシミリ装置及びファクシミリ通信方法に関し、特に既に交信履歴のあるファクシミリ受信機に対して送信する際に、送信前手順の所要時間を短縮することができるファクシミリ装置及びファクシミリ通信方法に関する。
【０００２】
【従来の技術】
通常、ファクシミリ装置による通信で行われるＶ．３４モードは、ＩＴＵ−Ｔ勧告に準拠するＴ．３０手順に従って行われる。このＴ．３０手順で行われる通信手順では、呼接続、初期識別フェーズのＶ．８シーケンス、回線特性を測定してシンボルレート等を決定するラインプロービングシーケンス、受信モデムのイコライザ最適化を行うイコライザトレーニングシーケンス、データレート決定、お互いの装置パラメータ交換を行うコントロールチャネルシーケンスを経て、画像データの通信を行うプライマリチャネルシーケンスへ移行する。
【０００３】
Ｖ．３４モードは、最高で３３．６ｋｂｐｓの高速データレートにて、画像データの伝送を行うため、回線の特性に合わせてモデムを最適化する必要があり、上記の様な長いシーケンスを行う必要がある。
【０００４】
しかし、画像データの伝送に到達するまでのシーケンスが長いことにより、いくら画像データのシーケンスが高速で行われても、トータルの通信時間が長くなってしまい、ユーザーにとっては、その高速化の効果が見えにくいものとなってしまっている。
【０００５】
また、一度通信を行ったことのある相手と再度通信を行う場合は、どのくらいのシンボルレート、データレートにて通信が可能であるかは判っているため、ラインプロービングの様な回線状況を繰返し行う必要は無い。しかしながら、通常のＶ．３４モードでは、通信を行う度に同じシーケンスを行い、結果的に非常に大きな時間の無駄になっている。
【０００６】
このようなＦＡＸを含む、モデムを使用したデータ通信における前手順に要する時間を短縮する先行技術として特開平１０−１３６１１２号公報がある。この公報では、Ｖ．３４を使ったファクシミリの通信規格Ｔ．３０  ＡＮＮＥＸ  Ｆ（所謂、スーパーＧ３）によると、モデムパラメータ、最適トレーニング時間、変調モード等を設定するための前手順時間が長くなって通信効率を低下させていたものを改善することを提案している。
【０００７】
この公報によれば、通信相手の電話番号とモデムパラメータ、最適トレーニング時間、変調モードを対応付けてメモリに格納しておき、送信側からの電話番号入力に応じてこれら情報を読み出して通信手順を実行し、前手順を省略することにより通信時間の短縮が可能となる、としている。この場合、ユーザーは予め上述の各データを短縮手順登録としてメモリに登録しておく必要がある。送信先の電話番号はともかく、モデムパラメータ、最適トレーニング時間、変調モード等を記憶させる取扱いは煩雑であり、ＦＡＸの取扱いに習熟していなければ実行できない。
【０００８】
【発明が解決しようとする課題】
本発明の課題は、ＩＴＵ−Ｔ準拠のＴ．３０手順によるファクシミリ装置に関する従来技術の欠点を解消し、できるだけ簡易な操作により送信前手順の所要時間を短縮して送信効率を向上させることができるＦＡＸ装置ならびにかかるＦＡＸ装置を利用したファクシミリ通信方法を提供することである。
。
【０００９】
【課題を解決する為の手段】
本発明の課題は、短縮ダイヤル及び／又はワンタッチダイヤルに番号が登録された相手に対する初回のファクシミリ送信に際して、前記登録された番号と対応付けて通信前手順中の一部のステップを記憶しておき、前記登録された番号に対する２回目以降の通信に際して前記記憶された内容を読み出して通信前手順の一部に充当することにより所要通信時間を短縮するファクシミリ通信方法によって解決される。
【００１０】
この場合に、前記登録された番号に対応付けて記憶される通信前手順中の一部のステップが、初期識別フェーズのＶ．８シーケンス、ラインプロービングシーケンス、及びイコライザトレーニングシーケンスとすることにより有利に解決することができる。
【００１１】
本発明の課題は、一度通信を行ったことのある相手で、かつ、短縮ダイヤル、ワンタッチダイヤルに登録されている相手への通信において、Ｖ．８シーケンスの一部、ラインプロービングシーケンス及び、イコライザトレーニングシーケンスを省略して通信を行うことにより通信全体の時間を短縮することができるファクシミリ装置により有利に解決することができる。
【００１２】
本発明にかかるファクシミリ通信方法によれば、Ｖ．８シーケンスのＡＮＳａｍのタイミングでトーン信号をぶつけることで、Ｖ．８シーケンスのＣＭ／ＪＭ／ＣＪの部分を省略する。既に回線特性が判っており、前回に適用されたシンボルレートが判っていることから、この前回のシンボルレートを用いることで、ラインプロービングのシーケンスを省略する。また、前回のデータレートも既に判っていることから、再度トレーニングを行う必要も無くなる。
【００１３】
したがって、イコライザトレーニングシーケンスを省略することが出来る。前回のシンボルレートは、ＡＮＳａｍにぶつけるトーン信号の種類により、送信側から受信側に通知することで、送信側受信側で情報を共有する。なお、前回のデータレートはコントロールチャネルにて、通知されることになる。
【００１４】
このような動作を実行する結果、短縮ダイヤル又はワンタッチダイヤルの少なくとも一方に番号が登録された相手に対するファクシミリ送信にあっては、前記登録された番号と対応付けて通信前手順中の一部のステップが自動的に記憶され、これら登録された番号に対する２回目以降の通信が行なわれる場合には、前記記憶されている内容を読み出して通信前手順の一部に利用される。
【００１５】
したがって、通信前手順の所要通信時間を大幅に短縮して実際に伝送すべきファクシミリ情報（画信号）の通信に迅速に移行することができ、ファクシミリ通信効率を向上せしめることができる。当然、回線利用効率も向上し、他通信相手からの呼に対するビジー状態を減少させることができる。
【００１６】
【発明の実施の形態】
以下、添付図を参照しつつ本発明の構成を開示する。図１は本発明の構成例を示すブロック図で、ファクシミリ送受信に必要な機能を実施するための端末制御部９Ａと、回線とのインターフェースである網制御部１０Ａと、を具備する。
【００１７】
この端末制御部９Ａは、通信の変復調を行うモデム１Ａと、変復調されたアナログ信号を送信受信に適する信号レベルに調整するアナログ回路２Ａと、手順省略を行うためのトーン信号を検出するトーン信号検出回路３Ａと、手順省略を行うためのトーン信号を生成する起動信号生成回路４Ａと、送信の際には当該通信に適するシンボルレートを決定し、かつ受信の際には前記トーン信号検出回路で検出した信号種類に基づいて通信を行うべきシンボルレートを決定するシンボルレート決定回路５Ａと、いかなるデータレートで通信を行うかを決定を行うかを決定するデータレート決定回路６Ａと、通信全体を制御する通信制御部８Ａと、短縮ダイヤル及び／又はワンタッチダイヤル番号情報ならびに該番号情報に対応付けて所要情報を記憶するメモリ７Ａと、から構成される。
【００１８】
図２は、Ｔ．３０において規定されている通常のＶ．３４モードの通信シーケンスを示すシーケンス図である。これに対して図３は、本発明にかかるファクシミリ通信方法において実行される短縮された手順のシーケンス図で、図２との対比から明らかなように、Ｖ．８シーケンスの一部、ラインプロービングシーケンス及びイコライザトレーニングの各ステップを省略した手順を示す図である。
【００１９】
図２は従来のＶ．３４モードでの通信シーケンスである。Ｖ．３４モードのシーケンスを簡単に説明すると、まず、初期識別のフェーズであるＶ．８シーケンスがある。ここでは、お互いの端末においてＶ．３４モードを持っているかについての確認を行う。Ｖ．８シーケンスにおいて、Ｖ．３４モードを送受信端双方で持っているものと判断すると、次のラインプロービングシーケンスに進む。ラインプロービングでは、回線特性の測定を行いその結果により、シンボルレートを決定する。
【００２０】
シンボルレートは３４２９，３２００，３０００，２８００，２７４３，２４００の６種類があり、このうちどれかが選択される。次のイコライザトレーニングシーケンスでは、ラインプロービングシーケンスにおいて決定されたシンボルレートを使用してプライマリチャネルにおけるイコライザを最適化するためにトレーニングを行う。コントロールチャネルでは、大きく分けて２つの機能がある。１つ目はＥシーケンスの前までで、プライマリチャネルで使用するデータレートを決定する。データレートは、ラインプロービングの結果とイコライザトレーニングの結果より、決定される。このデータレートは、３３６００ｂｐｓから２４００ｂｐｓまであり、２４００ｂｐｓ刻みになっている。決定のプロセスとしては、送信機、受信機の両方から、設定したデータレート情報を相手に送り、その両方で低いデータレートが選択される。
【００２１】
コントロールチャネルのもう１つの機能は、Ｔ．３０フェーズと呼ばれる双方の端末情報の交換がある。ここは、Ｖ．１７以下の通信で行われるフェーズＢと同じ情報の交換が行われる。コントロールチャネルは１２００ｂｐｓの信号でやりとりされる。コントロールチャネルの終結は、送信機側より、４０ｂｉｔ以上のＡｌｌ“１”の情報が送信され、それを受信機側で受信出来た場合、受信機側はＦｌａｇの送信を止める。送信機側は受信機側からのＦｌａｇが止まったことを検出して、送信機側からのＦｌａｇを止める。これで、コントロールチャネルが終結される。次に、画信号を通信するプライマリチャネルシーケンスになる。
【００２２】
図３は本発明のシーケンス図である。図４〜図６は送信機側の動作フロー、図７〜図８は受信機側の動作フローである。以下、図１のブロック図、図４〜図８の動作フローを参照しつつ本発明にかかるファクシミリ通信方法の動作について説明する。まず、送信機側よりダイヤリングを行うが、短縮ダイヤル、もしくはワンタッチダイヤルとして番号登録されているか否かにいついて判別する（ステップ４１）。短縮ダイヤル、ワンタッチダイヤル以外であれば、本動作フローから抜ける。
【００２３】
短縮ダイヤル、ワンタッチダイヤルである場合、今回の通信が２回目以降の通信であるか否かを判別する（ステップ４２）。１回目の通信であれば、シンボルレート、データレート情報が存在しないため、本動作フローから抜ける。２回目以降の通信であれば、前回の通信において設定されたシンボルレート、データレート値を設定する（ステップ４３）。シンボルレート、データレート値は１回目の通信の際にメモリ７Ａに記憶されており、メモリ内の情報をシンボルレート決定回路５Ａ及びデータレート決定回路６Ａが読み出し、各々の回路に設定する。
【００２４】
次に発呼を行う（ステップ４４）。発呼後、受信機に接続されると、受信機側より、ＡＮＳａｍ信号が送信される。送信機はこのＡＮＳａｍ信号をモデム１Ａにおいて検出する。ＡＮＳａｍが検出されると（ステップ４５）、直ちに起動信号（トーン信号）生成回路４Ａから、トーン信号が送信される（ステップ４６）。トーン信号は少なくと６種類存在し、その周波数によりこの後の通信において使用されるシンボルレートを通知している。周波数とシンボルレートの関連は図３に示す。受信機は、このトーン信号を受信することによりＡＮＳａｍの送出を止める。
【００２５】
送信機はトーン送出後、コントロールチャネルの送信に移る（ステップ４７）。送信機よりのコントロールチャネルの送出に対して、Ｖ．２１ｃｈ２のＤＩＳ信号が来た場合（ステップ４８）、送信機はコントロールチャネルの送信を止めて（ステップ４１３）、ＤＩＳ信号の受信を行う（ステップ４１４）。この場合は、当該受信機が本発明の機能を持っていないと判断して、通常のＶ．３４モードの手動シーケンスに移行する。但し、場合によっては、Ｖ．３４以外のモードへ移行することもあり得る。
【００２６】
Ｖ．２１ｃｈ２のＤＩＳ信号が来ない場合には、コントロールチャネルの通信を継続して行う。コントロールチャネルの通信において、データレート決定回路６Ａに設定されているデータレート値情報を送出し、データレートを決定する。コントロールチャネルが完了（ステップ４９）すると、次にプライマリチャネルにて画信号の送信を行う（ステップ４２０）。プライマリチャネルを送信中は、常にＡＬＴ信号の検出チェック（ステップ４２１）を行う。ＡＬＴ信号は、シーケンスのリカバリ起動用信号として、Ｖ．３４モードにて定義されている信号である。
【００２７】
本発明では、データレートが判っているため、イコライザトレーニングシーケンスを省略しているが、回線状態の変化により、前回のイコライザ状態では通信が正常に出来ない場合が考えられる。その場合、受信機側より送出されるＡＬＴ信号により、リカバリのシーケンスを起動する。ＡＬＴ信号が検出されない場合には、プライマリチャネル送信完了を監視（ステップ４２５）し、完了していなければ、ＡＬＴ検出チェック（ステップ４２１）に戻る。
【００２８】
ＡＬＴ信号を受信したら、送信側はＡＬＴ信号を送出する（ステップ４２２）。これにより、リカバリシーケンス開始の整合が行なわれる。次に、イコライザトレーニングを実施（ステップ４２３）して、再度プライマリチャネルを送信（ステップ４２４）する。
【００２９】
次に図７〜図８の受信機側の動作フローを説明する。受信機側ではリンガ信号による着信（ステップ５１）が起こる。その後、ＡＮＳａｍ信号の送出が行われる（ステップ５２）。ＡＮＳａｍ信号送出中に、トーン信号が受信された場合（ステップ５３）、ＡＮＳａｍの送出を直ちに停止する（ステップ５４）。このトーン信号の検出はトーン信号検出回路３Ａによって行われる。
【００３０】
トーン信号の周波数から、シンボルレートを判断してそのシンボルレート値を設定する（ステップ５５）。判断と設定は、シンボルレート決定回路５Ａによって行われる。その後、コントロールチャネルを開始する（ステップ５６）。コントロールチャネルによって、データレートが決定され、その後、コントロールチャネルが完了する（ステップ５７）。その後、プライマリチャネルの受信（ステップ５２０）によって画信号の受信を行う。
【００３１】
ついで、プライマリチャネルが復号出来ているか否かをチェックする（ステップ５２１）。Ｎｓｅｃ間に復号出来ない場合、ＡＬＴ信号を送出する（ステップ５２２）。送信側よりのＡＬＴ信号を検出（ステップ５２３）したら、イコライザトレーニング受信の状態となり（ステップ５２４）、その後、プライマリチャネルを再度受信する（ステップ５２５）。
【００３２】
プライマリチャネルの復号が正常に行われている場合には、プライマリチャネルの受信完了を監視し続ける（ステップ５２６）。
【００３３】
本発明の他の実施例について説明する。この実施例では、ＡＮＳａｍに対して送出するトーン信号により、シンボルレートを通知して、ラインプロービングシーケンスを省略している。また、データレートについては、コントロールチャネルにて整合が行なわれるが、このトーン信号としてデュアルトーンを使用することにより、この段階でシンボルレート、データレートの両方に関する情報を受信側に通知することが可能となる。この結果、コントロールチャネルの段階では既にデータレートの整合も完了していることになり、コントロールチャネルのＥシーケンス前の部分を省略することが可能となる。
【００３４】
【効果】
本発明にかかるファクシミリ装置およびファクシミリ通信方法により、以下の効果が得られる。通信全体の時間を短縮するために、一度通信を行ったことのある相手でかつ、短縮ダイヤル、ワンタッチダイヤルに登録されている相手への通信において、最初の通信時に自動的に記憶された情報を利用することによりＶ．８シーケンスの一部、ラインプロービングシーケンス及び、イコライザトレーニングシーケンスを省略して通信を行い、トータルの通信時間を短縮することが出来る。かかる効果は、順次同報通信を行う場合や複数箇所との定時通信を行う場合等に特に有利となる。
【００３５】
また、上述のような通信前手順の一部を省力することにより通信時間が短縮されることから、通信時間に依存する通信費用の削減が図れる上、送信待ちの時間が短縮され、再発呼の発生を減らす効果がある。
【図面の簡単な説明】
【図１】本発明にかかるファクシミリ装置の構成を示すブロック図である。
【図２】本発明にかかるファクシミリ通信方法の基本となる方式のシーケンス図である。
【図３】本発明にかかるファクシミリ通信方法による改善されたシーケンス図である。
【図４】本発明の一実施例での送信側の動作を示すフロー図である。
【図５】本発明の一実施例での送信側の動作を示すフロー図である。
【図６】本発明の一実施例での送信側の動作を示すフロー図である。
【図７】本発明の一実施例での受信側の動作を示すフロー図である。
【図８】本発明の一実施例での受信側の動作を示すフロー図である。
【符号の説明】
１Ａ    モデム
２Ａ    アナログ回路
３Ａ    トーン信号検出回路
４Ａ    起動信号（トーン信号）生成回路
５Ａ    シンボルレート検出回路
６Ａ    データレート検出回路
７Ａ    メモリ
８Ａ    通信制御部
９Ａ    端末制御部
１０Ａ  網制御部
【図１】
0004396800.tif 000002
【図２】
0004396800.tif 000003
【図３】
0004396800.tif 000004
【図４】
0004396800.tif 000005
【図５】
0004396800.tif 000006
【図６】
0004396800.tif 000007
【図７】
0004396800.tif 000008
【図８】
0004396800.tif 000009